(57)【特許請求の範囲】
【請求項１】
容器と、その上端に取り付けられたエアゾールバルブと、そのエアゾールバルブに取り付けられた噴出部材とからなり、
前記容器は、円筒状の胴部と、その胴部の上端に巻き締めされたドームとを有しており、
前記エアゾールバルブは、前記ドームのビード部にその周縁部がクリンプされるマウンティングカップを有しており、
前記噴出部材が、前記ビード部にクリンプしたマウンティングカップの周縁部に嵌合して取り付けられる本体と、その本体の前側に設けられる、下方に向かって延びるバルブの開閉を操作するためのトリガーと、バルブと連通している噴出部とを備えたトリガー式のエアゾール製品であって、
前記本体の後部に設けられた基部と、その基部から後方に延びる係合部と、その基部から下方に延びる把持部と、その係合部の後端から下方に伸びる保持部とを有する指掛け部材を備えており、前記把持部の下端に、前記胴部とドームとを連結する巻き締め部と嵌合する嵌合溝が形成されている、トリガー式のエアゾール製品。
【請求項２】
前記把持部の下端と保持部の下端とが連結部によって連結されている、請求項１記載のエアゾール製品。
【請求項３】
前記指掛け部材と本体とが着脱自在に構成されている、請求項１記載のエアゾール製品。
【請求項４】
前記本体の後部が下方に延びる後部壁を有しており、
前記指掛け部材の基部がその後部壁の下端に挿入される溝を有している、請求項３記載のエアゾール製品。
【請求項５】
前記本体の前側に、本体の前側を握る指の上面と係合する前側係合部が突出している、請求項１記載のエアゾール製品。
【請求項６】
前記指掛け部が、前記ビード部にクリンプしたマウンティングカップの周縁部に嵌合し、前記基部と一体に形成されているリング部材を備えている、請求項１記載のエアゾール製品。
【発明の詳細な説明】
【０００１】
【発明の属する技術分野】
本発明はトリガー式のエアゾール製品に関する。
【０００２】
【従来の技術】
殺虫剤などを空気中に向かって噴出させるエアゾール製品の噴出部材としては、図７に示すような、容器１００の上端に固定したバルブ１０１のステム１０２に取り付けたボタン１０３が一般的である。このようなエアゾール製品１０４では、使用者は想像線で示すように、容器１００を左右方向から握り、人差し指でボタン１０３を押し下げる。そうするとバルブ１０１が開いてボタン１０３の前側に設けたノズルチップ１０５の噴孔１０６からエアゾール組成物を噴出することができる。このボタン１０３からなる噴出部材は構造がシンプルであるが、容器１００が大きく重い場合は、容器１００を握りながらのボタン１０３の操作がしにくい。すなわち、容器１００が大きいと、ボタン１０３を操作する人差し指と、容器１００を握る中指、薬指および小指の３本の指とが大きく開くので、疲れる。また、手を前に伸ばして前向きに噴出させる場合に、手首の曲げ角度が大きくなり、手首が疲れる。
【０００３】
他方、容器１００の容量が大きい場合は、図８に示すような、容器１００の上部に固定される本体１１０と、その本体内に揺動自在に取り付けられる略Ｌ字状のノズル１１１と、そのノズル１１１の前端近辺から下方に延びるトリガー（引き金）１１２とを備えたトリガー式の噴出部材１１３が用いられる。本体１１０の下部は容器１００のビード部に取り付けるように円形で、上部は左右が扁平な中空の直方体状である。ノズル１１１の下端はステム１０２に嵌合される部分であり、先端には噴孔１０６が設けられている。さらにノズル１１１の後端下部は、ヒンジ１１４を介して本体１１０の内面に連結されている。
【０００４】
このものは容器１００の上部から本体１１０にかけて前後方向に握って保持し、トリガー１１２を人差し指で引くように操作する。それによりノズル１１１がヒンジ１１４を支点として前傾し、ステム１０２を押し下げてバルブを開くことができる。したがって容器１００の握る手を前側に伸ばしても、手首の角度が大きくならい。そのため前述の押しボタン式のエアゾール製品に比して、手首が疲れにくい。
【０００５】
また図９に示すような、容器１００の上端にハンドル１２０を固定し、そのハンドル１２０内に収容したテコ型ボタン１２１でバルブを操作するように構成したエアゾール製品も知られている（実公昭６２−４２７７６号公報参照）。このものはハンドル１２０を握った状態で、親指または人差し指でテコ型ボタン１２１の端部を押すことにより、テコ型ボタン１２１の前方の噴孔１０６からエアゾール組成物を噴出させることができる。
【０００６】
【発明が解決しようとする課題】
前記トリガー式の噴出部材を設けたエアゾール製品は、左右が薄い本体１１０を前後方向から握ることができる。すなわち親指は本体１１０の後方から左側（右利きの場合）に当て、他の４本の指は右側で揃え、トリガーにかける人差し指を除く３本の指の先端は本体１１０の前側に当て、本体１１０の扁平な上部を包むように握ることができる。しかしエアゾール製品の重量は、握った指や手のひらと容器との摩擦で支えるため、容器１００が大きく重い場合は、かなり強く握らなければ落としそうになる。さらにトリガーの操作は、単に引くだけでなく、いくらか下側に向かって引くという複雑な操作が要求される。そのため手が小さい使用者や、握力が弱い使用者にとっては扱いにくい。
【０００７】
また図９のハンドル付きのエアゾール製品の場合、重量のある容器１００から離れた位置にあるハンドル１２０を握って操作するので、ハンドル１２０を保持するためのトルク（前後方向）が大きい。また、ハンドル１２０周りの慣性モーメントが大きいため、左右に向きを変えるときに振り回され、取り扱いが容易でない。
【０００８】
本発明は手が小さい使用者や握力が弱い使用者にとって扱いやすいトリガー式のエアゾール製品を提供することを技術課題としている。
【０００９】
本発明のトリガー式のエアゾール製品は、容器と、その上端に取り付けられたエアゾールバルブと、そのエアゾールバルブに取り付けられた噴出部材とからなり、前記容器は、円筒状の胴部と、その胴部の上端に巻き締めされたドームとを有しており、前記エアゾールバルブは、前記ドームのビード部にその周縁部がクリンプされるマウンティングカップを有しており、前記噴出部材が、前記ビード部にクリンプしたマウンティングカップの周縁部に嵌合して取り付けられる本体と、その本体の前側に設けられる、下方に向かって延びるバルブの開閉を操作するためのトリガーと、バルブと連通している噴出部とを備えたトリガー式のエアゾール製品であって、前記本体の後部に設けられた基部と、その基部から後方に延びる係合部と、その基部から下方に延びる把持部と、その係合部の後端から下方に伸びる保持部とを有する指掛け部材を備えており、前記把持部の下端に、前記胴部とドームとを連結する巻き締め部と嵌合する嵌合溝が形成されていることを特徴としている。
【００１０】
このようなエアゾール製品では、前記把持部の下端と保持部の下端とが連結部によって連結されているものが好ましい。また、前記指掛け部材と本体とが着脱自在に構成されているものが好ましく、その中でも、前記本体の後部が下方に延びる後部壁を有しており、前記指掛け部材の基部がその後部壁の下端に挿入される溝を有しているものが好ましい。さらに、前記本体の前側に、本体の前側を握る指の上面と係合する前側係合部が突出しているものが好ましい。そして、前記指掛け部が、前記ビード部にクリンプしたマウンティングカップの周縁部に嵌合し、前記基部と一体に形成されているリング部材を備えていてもよい。
【００１２】
【作用および発明の効果】
本発明のトリガー式のエアゾール製品は、親指の上面が係合する係合部を供えているので、容器に取り付けて使用するとき、容器の重量のうち、かなりの部分を係合部と親指の係合により支持することができる。そのため、容器を把持する握力をそれほど要しない。また、容器の重心が親指と係合部の係合部位より前側であるので、容器の重量は容器を前側に倒くトルクが働くが、そのトルクは手のひらで容易に支えることができる。さらに容器の重心は手のひらの内側の範囲に入っているので、左右に向きを変える場合も振り回されない。したがって、握力が弱い使用者にとって、持ちやすく、人差し指によるトリガー操作に注意力を集中することができる。また、エアゾール製品を持ち運ぶとき、その係合部を摘んで持ち運ぶことができる。
【００１３】
本発明のトリガー式のエアゾール製品は、係合部の基端から下方に向かって延び、親指の内面が当接する把持部が設けられているため、容器自体を把持する場合に比して、一層、エアゾール製品の把持が容易である。
【００１４】
さらに本発明のトリガー式のエアゾール製品は、係合部の先端から下方に向かって延びる保持部を有しているため、一層安定してエアゾール製品を把持することができ、持ち運ぶときに指を引っかけて持ち運ぶことができる。
【００１５】
前記把持部の下端と保持部の下端とが連結部によって連結されている場合は、係合部、把持部、保持部および連結部がリング状に構成されるので、一層安定して把持することができ、持ち運びも容易である。
【００１６】
また、本体の前側に、本体の前側を握る指と係合する前側係合部が突出している場合は、たとえば人差し指や中指などでエアゾール製品の重量の一部を負担しうるので、一層、しっかりと保持することができる。
【００１８】
【発明の実施の形態】
つぎに図面を参照しながら本発明のトリガー式のエアゾール製品の実施形態を説明する。図１は本発明の噴出部材を用いたエアゾール製品の一実施形態を示す一部断面側面図、図２は図１の噴出部材の斜視図、図３および図４はそれぞれ本発明の範囲外の形態を示す側面図、図５ｂは、本発明のトリガー式のエアゾール製品の他の実施形態を示す側面図、図５ａ、５ｃはそれぞれ本発明の範囲外の形態を示す側面図、図６ａは本発明の範囲外の形態を示す一部断面側面図、図６ｂは本発明のエアゾール製品の一実施形態を示す一部断面側面図である。
【００１９】
図１に示すエアゾール製品１０は、容器１１と、その容器の上端に取り付けられるバルブ１２と、容器１１の上端およびバルブ１２のステム１３に取り付けられる噴出部材１４とを備えている。
【００２０】
容器１１は従来公知のものと同じものであり、たとえば金属薄板から成形した有底円筒状の胴部２１と、その胴部の上端に巻き締めされたドーム２２とからなる。ドーム２２の上端開口部には、ビード部２３が形成されており、そのビード部２３にバルブ１２のマウンティングカップ２４の周縁部がクリンプされている。バルブ１２は従来公知のものであり、マウンティングカップ２４と、そのマウンティングカップに保持される筒状のハウジング２５と、ハウジング内に上下に移動自在に収容されるステム１３と、そのステムを上向きに付勢するバネと、ハウジング２５とマウンティングカップ２４の間に挟み付けられるバルブラバーなどを備えている。容器１１内には、原液と噴射剤とを含むエアゾール組成物が充填されている。
【００２１】
噴出部材１４は、容器１１の上端に固定される本体２９と、その本体２９の後部下方に連結されるリング状の指掛け部材３０とを備えている。本体２９内に揺動自在に取り付けられる略Ｌ字状のノズル３１と、そのノズル３１の前端近辺から下方に延びるトリガー３２とは、従来のトリガー式の噴出部材と同様である。図２に示すように、本体２９の下部２９ａは容器１１のビード部２３に嵌合させるため、平面視が円形を呈しており、下部２９ａの上に、左右に扁平な中空の略直方体状の上部２９ｂが設けられている。
【００２２】
図１に戻って、本体２９の上部２９ｂの前方は開口しており、ノズル３１の先端およびトリガー３２が露出している。上部２９ｂの後部には、中間壁３４と後部壁３５とが二重に設けられている。上部２９ｂの側壁３６は滑らかに湾曲して下部２９ａに連続している（図２参照）。ノズル３１の下端はステム１３に嵌合される部分であり、先端には噴孔３８を備えたノズルチップ３９が取り付けられている。ノズル３１の内部には、ステム１３とノズルチップ３９とを連通するための通路４０が形成されている。ノズル３１の上端後部には、Ｌ字状の支持片４１が一体に設けられており、その支持片４１の下端は樹脂ヒンジ４２を介して本体２９の中間壁３４の下部に連結されている。
【００２３】
前記指掛け部材３０は、本体２９の後部壁３５の下端が挿入される溝４３を有する基部４４と、その基部から後方に延びる係合部４５と、基部４４から下方に延びる把持部４６と、係合部４５の後端から下方に延びる保持部４７と、把持部４６の下端と保持部４７の下端を連結する連結部４８とからなるリング状の形態を呈している。把持部４６の下端には、容器１１のドーム２２と胴部２１との巻き締め部４９と嵌合する嵌合溝５０が形成されている。後述するように、把持部４６、保持部４７および連結部４８は省略することができる。
【００２４】
本体２９およびノズル３１は、ポリアミド、ポリアセタール、ポリエステルなどの合成樹脂から射出成形などで成形する一体成形品であり、従来公知のものをそのまま利用することもできる。指掛け部材３０も同様の合成樹脂で成形することができる。なお、本体２９と指掛け部材３０とを、一体成形してもよい。
【００２５】
上記のように構成される噴出部材１４を取り付けたエアゾール製品１０は、想像線で示すように、指掛け部材３０に親指５１を挿入し、他の指５２〜５５はエアゾール製品１０の前方に回し、手のひら５６で容器１１、とくにドーム２２および胴部２１の上部を包み込むようにして把持する。そのとき、親指５１および人差し指５２は本体２９の側壁３６の湾曲面に沿って延び、人差し指５２の先端はトリガー３２にかける。
【００２６】
このように把持した状態で、人差し指５２でトリガー３２を引くと、ノズル３１が樹脂ヒンジ４２の部位でいくらか屈曲し、ノズル３１の先端側がいくらか下向きに傾動する。それによりステム１３が押し下げられるので、バルブ１２が開き、ノズルチップ３９の噴孔３８からエアゾール組成物を噴霧することができる。人差し指５２の力を緩めると、ステム１３が上昇するのでノズル３１は元の位置に戻り、噴霧が停止する。なお、トリガー３２を引く操作は、実際には真っ直ぐ後方に引くのではなく、いくらか下方に引き下げながら後方に引く動作となる。
【００２７】
上記のように、このエアゾール製品１０では、使用者は親指５１を指掛け部材３０内に挿入した状態で、噴出部材１４および容器１１を把持する。そのため、エアゾール組成物を含む容器１１の重量は、親指５１の上面、とくに親指の付け根の上面で支えることができる。そのため容器１１が手のひら５６から滑り落ちることがなく、安心してトリガー３２の操作をすることができる。また、ノズル３１の先端を斜め上向きにしたり、床面に向かって噴射させる場合でも、しっかりと容器１１を把持することができる。そのため握力が弱い使用者であっても、楽に扱うことができる。また指掛け部材３０に人差し指などを引っかけた状態で、あるいは指で摘んで持ち運ぶことができるので、持ち運びが容易である。
【００２８】
図１および図２の噴出部材１４では、略四角形の指掛け部材３０が採用されている。図３に本体２９から後方に延びる係合部４５だけを用いた噴出部材を備えた本発明の範囲外のエアゾール製品を示す。このものも容器１１の重量のかなりの部分を親指５１の上面で支えることができ、エアゾール製品の取り扱いが容易になる。なお、この形態では、本体２９と係合部４５とを一体成形したものを採用している。しかし別個に成形してもよい。なお係合部４５の後端は、親指を引っ掛け易いようにいくらか下方に突出した突起部５７を設けるのが好ましい。またトリガー３２の上部には、想像線で示すように、人差し指の上面と係合する前側係合部５８を前方に突出するように設けてもよい。このような前側係合部５８を設ける場合は、後方に突出する係合部４５と相まって、一層エアゾール製品をしっかり保持することができる。
【００２９】
図４に示す噴出部材１４では、本体２９の後部から後方に延びる係合部４５と、本体２９の後部から下方に延びる把持部４６とを設けている。把持部４６の下端には、容器１１の巻き締め部４９と嵌合する嵌合溝５０が形成されている。このものはしっかりと把持することができ、しかも重量を係合部で支えることができるので、取り扱いが容易である。また、本体２９の下部の前側から、前方に延びる前側係合部５８を設けるようにしてもよい。その場合も、後側の係合部４５と相まってエアゾール製品をしっかりと保持することができる。図３、図４のような前側係合部５８は、図１、図５ｂなどの本発明のトリガー式のエアゾール製品の実施形態においても採用することができる。
【００３０】
図５ａに示す噴出部材１４では、係合部４５と、その係合部の後端から下方に延びる保持部４７とを備えている。また図５ｂに示す噴出部材１４では、係合部４５と保持部４７と把持部４６とを備えている。さらに図５ｃに示す噴出部材１４では、把持部４６とその上端から後方に突出する短い係合部４５とを備えている。それらの噴出部材１４はいずれも図１の噴出部材に比して、親指をリングに通す必要がないので、容易に把持することができる。また、図５ａ、図５ｂの噴出部材１４を取り付けたエアゾール製品は、係合部４５を摘んで持ち運ぶことができる。
【００３１】
図６ａに示すエアゾール製品１０では、噴出部材１４自体は従来のものと同じであるが、巻き締め部４９に嵌合するリング部材６２と、そのリング部材６２の後端に一体に縦向きに設けた指掛け部材３０とを備えている。このものも前述の指掛け部材３０付きの噴出部材１４を備えたエアゾール製品１０と同様の作用効果を奏する。
【００３２】
図６ｂに示す噴出部材１４は、ビード部２３に嵌合するリング部材６３と、そのリング部材６３の後端に一体に設けた指掛け部材３０と、ステム１３に嵌合するノズル３１とを備えている。ノズル３１の上端後部には、Ｌ字状の支持片４１が一体に設けられており、その支持片４１の下端は樹脂ヒンジ４２を介してリング部材６３の後部内面に連結されている。すなわちこの噴出部材１４は図４の噴出部材の上部２９ｂを省略したものとほぼ同様である。このものも図４の噴出部材と実質的に同じ作用効果を奏する。
【図面の簡単な説明】
【図１】本発明のトリガー式のエアゾール製品の一実施形態を示す一部断面側面図である。
【図２】図１の噴出部材の斜視図である。
【図３】本発明の範囲外の形態を示す側面図である。
【図４】本発明の範囲外の形態を示す側面図である。
【図５】図５ｂは本発明のトリガー式のエアゾール製品の他の実施形態を示す側面図であり、図５ａ、図５ｃは本発明の範囲外の形態を示す側面図である。
【図６】図６ａは本発明の範囲外の形態を示す一部断面側面図であり、図６ｂは本発明のエアゾール製品の一実施形態を示す一部断面側面図である。
【図７】従来の噴出部材の一例を示す側面図である。
【図８】従来の噴出部材の他の例を示す断面図である。
【図９】従来のハンドル付きのエアゾール製品の一例を示す斜視図である。
【符号の説明】
１０  エアゾール製品
１１  容器
１２  バルブ
１３  ステム
１４  噴出部材
２１  胴部
２２  ドーム
２３  ビード部
２４  マウンティングカップ
２５  ハウジング
２９  本体
２９ａ  下部
２９ｂ  上部
３０  指掛け部材
３１  ノズル
３２  トリガー
３４  中間壁
３５  後部壁
３６  側壁
３８  噴孔
３９  ノズルチップ
４０  通路
４１  支持片
４２  ヒンジ
４３  溝
４４  基部
４５  係合部
４６  把持部
４７  保持部
４８  連結部
４９  巻き締め部
５０  嵌合溝
５１  親指
５２  人差し指
５３、５４、５５  他の指
５６  手のひら
５７  突起部
５８  前側係合部
６２、６３  リング部材
【図１】
0004346790.tif 000002
【図２】
0004346790.tif 000003
【図３】
0004346790.tif 000004
【図４】
0004346790.tif 000005
【図５】
0004346790.tif 000006
【図６】
0004346790.tif 000007
【図７】
0004346790.tif 000008
【図８】
0004346790.tif 000009
【図９】
0004346790.tif 000010